(57)【要約】【課題】  本発明はオゾン臭気除去フィルターに関し、特に室内や工場内に設置される空気清浄機等に付設されるオゾン発生器のオゾン独自の臭気を除去すると共に、同時に他の臭気や塵芥等も除去することのできるオゾン臭気除去フィルターに関する。【解決手段】  挟持材間にセラミック砕片を挟持収納し、該挟持材をフレームで固定してパネル状に形成し、該フレームの一辺がヒンジを介して開閉自在に形成されていることを特徴とし、挟持材間に挟持収納されるセラミック砕片がＳｉＯ２を主成分とし、微量の金属成分を含む砕片であることを特徴とし、挟持材が金網又はプラスチック等の多孔状プレートで構成され、金網の網目又はプラスチック等の多孔状プレートの孔部の寸法が、セラミック砕片より小さく形成されていることをフィルターを特徴とし、且つ、オゾン臭気除去フィルターパネルが、ハウジングのガイドによって着脱自在に構成されていることを特徴とするオゾン臭気除去フィルターを提供する。【選択図】  図２
2006280887.tif 000002
【特許請求の範囲】
【請求項１】
挟持材間にセラミック砕片を挟持収納し、該挟持材をフレームで固定してパネル状に形成し、該フレームの一辺がヒンジを介して開閉自在に形成されていることを特徴とするオゾン臭気除去フィルター。
【請求項２】
挟持材間に挟持収納されるセラミック砕片がＳｉＯ２を主成分とし、微量の金属成分を含む砕片であることを特徴とする請求項１記載のオゾン臭気除去フィルター。
【請求項３】
挟持材が金網又はプラスチック等の多孔状プレートで構成され、金網の網目又はプラスチック等の多孔状プレートの孔部の寸法が、セラミック砕片より小さく形成されていることをフィルターを特徴とする請求項１記載のオゾン臭気除去フィルター。
【請求項４】
オゾン臭気除去フィルターパネルが、ハウジングのガイドによって着脱自在に構成されていることを特徴とする請求項１記載のオゾン臭気除去フィルター。
【発明の詳細な説明】
【技術分野】
【０００１】  本発明はオゾン臭気除去フィルターに関し、特に室内や工場内に設置される空気清浄機等に付設されるオゾン発生器のオゾン独自の臭気を除去すると共に、同時に他の塵芥や臭気も除去することのできるオゾン臭気除去フィルターに関する。
【背景技術】
【０００２】  一般的に人体の健康のために効果的である必要量のオゾンを、空気清浄機等に付設して室内や工場内に配置される装置が開発されている。【０００３】  ところで、この種の空気清浄機等においては、例えば特開２００１−７０４１６号公報に開示された空気清浄機を用いたオゾン発生装置等があげられる。【０００４】
【特許文献１】  特開２００１−７０４１６号公報
【発明の開示】
【発明が解決しようとする課題】
【０００５】  上述した特開２００１−７０４１６号公報においては、片面に有機物分解光触媒物質を焼成し、他面に紫外線を照射して酸素結合を分解して純粋酸素Ｏを作り、これを周辺にある酸素Ｏ２と結合させてオゾンＯ３を作り、その一部を空気流出口から排出するものである。【０００６】  しかしながら、この装置ではオゾン独自の臭気については全く開示されておらず、オゾンが必要量以上に室内に供給された場合、このような空気清浄機等に付設されるオゾン発生器のオゾン独自の臭気を除去すると共に、同時に他の臭気や塵芥も除去することのできるオゾン臭気除去フィルターが必要になる。
【課題を解決するための手段】
【０００７】  このような目的に応えるために創案された本発明のオゾン臭気除去フィルターは、挟持材間にセラミック砕片を挟持収納し、該挟持材をフレームで固定してパネル状に形成し、該フレームの一辺がヒンジを介して開閉自在に形成されていることを特徴とし、挟持材間に挟持収納されるセラミック砕片がＳｉＯ２を主成分とし、微量の金属成分を含む砕片であることを特徴とし、挟持材が金網又はプラスチック等の多孔状プレートで構成され、金網の網目又はプラスチック等の多孔状プレートの孔部の寸法が、セラミック砕片より小さく形成されていることをフィルターを特徴とし、且つ、オゾン臭気除去フィルターパネルが、ハウジングのガイドによって着脱自在に構成されていることを特徴とするオゾン臭気除去フィルター。
【発明の効果】
【０００８】  オゾン発生装置を付設した空気清浄機では、これを連続運転した場合、室内に必要量以上のオゾンが充満する可能性がある。しかしながら、オゾンにはそれ自体の臭気があり、これが過剰に室内に充満したときには、人間はその臭気に不快感を持つことになるが、本発明のオゾン臭気除去フィルターを用いると、他の塵芥や臭気と共にオゾン自体の臭気も除去することもできる。
【発明を実施するための最良の形態】
【０００９】  以下、図面に基づいて、本発明を実施するための最良の形態を具体的に説明する。
図面に於いて、図１は本発明に係るオゾン臭気除去フィルターのパネルの一例を示す斜視図である。図２は図１の部分拡大断面図である。図３は本発明に係るオゾン臭気除去フィルターの使用例を示す斜視図である。図４は図３の部分分解図である。【００１０】  図１乃至図２に示すように、本発明のオゾン臭気除去フィルターは、挟持材間にセラミック砕片を挟持収納し、該挟持材をフレームで固定してパネル状に形成し、オゾン臭気除去フィルターパネルＡを形成することができる。【００１１】  また、挟持材間に挟持収納されるセラミック砕片２１は、例えばゼオライトのような材料を砕片に加工して用いるもので、ＳｉＯ２を主成分とし、微量の金属成分を含む微粒子であり、ＳｉＯ２の他にはＡｌ２Ｏ３，Ｆｅ２Ｏ３，ＣａＯ，Ｋ２Ｏ等を含む組成のものである。【００１２】  図２に示すように、セラミック砕片２１を挟持収納する挟持材２，２は、金網又はプラスチック等の多孔状プレートで構成され、全体的に通風性を有するパネル状に形成されている。
【実施例１】
【００１３】  図３乃至図４は本発明のオゾン臭気除去フィルターを利用した実施例を示す斜視図である。オゾン臭気除去フィルターパネルＡが、ハウジングＢの内側上下のガイド８，８等によって着脱自在に構成されている。【００１４】  ハウジングＢ内には一方にオゾン発生器３、他方に送風機５が配置され、両者の駆動の為のオンオフ用のスイッチ４がハウジングＢの側面に配置されている。したがって、オゾン発生器３と送風機５が駆動されると、室内の臭気や浮遊する塵芥は空気流入口６から矢印ａに示すように流入し、オゾン発生器３からのオゾンと共に、オゾン臭気除去フィルターパネルＡを通過してオゾン混合空気流出口７から矢印ｂのように流出する。【００１５】  オゾン臭気除去フィルターパネルＡの挟持材２，２間に挟持収納されるセラミック砕片への接触率が増加して脱臭効果が向上すると共に、オゾン自体の臭気のみならず、他の臭気や塵芥をも除去することができる。【００１６】  図２に示すように、フレーム１の一辺がヒンジ１１を介して開閉自在に形成されているので、挟持材２，２間に収納されているセラミック砕片は交換することも可能である。
【図面の簡単な説明】
【００１７】
【図１】  本発明に係るオゾン臭気除去フィルターのパネルの一例を示す斜視図である。
【図２】  図１の部分拡大断面図である。
【図３】  本発明に係るオゾン臭気除去フィルターの使用例を示す斜視図である。
【図４】  図３の部分分解図である。
【符号の説明】
【００１８】  １．フレーム
１１．ヒンジ
２．挟持材
２１．セラミック砕片
３．オゾン発生器
４．スイッチ
５．送風機
６．空気流入口
７．オゾン混合空気流出口
８．ガイド
Ａ．オゾン臭気除去フィルターパネル
Ｂ．ハウジング
【図１】
2006280887.tif 000003
【図２】
2006280887.tif 000004
【図３】
2006280887.tif 000005
【図４】
2006280887.tif 000006